(57)【特許請求の範囲】
【請求項１】
スプレー・チューブ（１）の自由外端に配置し、交差する流路（７）によって圧力の下にスプレー・チューブ（１）に送られる液体を霧化するようになっているスプレー・マウスピース（２）の構造であって、
スプレー・チューブ（１）の前記自由端上に設置するようになっており、中央に設置したマウスピース開口（５）を有する端面を備える細長いスリーブ（３）と、
このスリーブ（３）内に設置してあり、本質的に該端面と接続している円筒形の本体（４）と、
を包含し、
この本体が溝（６）を有し、これらの溝がスリーブと共にスプレー・チューブと連通する少なくとも２つのダクト（６）を形成しており、
これらのダクトがスプレー・チューブ端から前記端面までほぼ軸線方向に延びており、
各ダクト（６）が該円筒形の本体の端面に形成された前記交差する流路（７）によってマウスピース開口と同軸に接続するチャンバ（８）に接続している、
ことを特徴とする構造。
【請求項２】
請求項１記載の構造において、マウスピース開口（５）が前記チャンバ（８）から離れる方向に円錐形に狭くなっていることを特徴とする構造。
【請求項３】
請求項１記載の構造において、本体（４）が、端面から遠い方の側に、スリーブ（３）内のスプレー・チューブ（１）の挿入深さを決める、スプレー・チューブ端のための少なくとも１つの接触面を有することを特徴とする構造。
【請求項４】
請求項１記載の構造において、スリーブ（３）内に設置された本体（４）がそれぞれ流路（７）およびチャンバ（８）を備えた対称的に設計した端面を有することを特徴とする構造。
【請求項５】
請求項１記載の構造において、端面にあるダクト（６）の各々が２つの流路（７）に分割してあり、各流路が周面に沿って互いに反対の向きに円弧の一部を描き、最終的に、チャンバ（８）と周面との間で反対の方向から接続する対応した流路（７）を横切るチャンバ（８）に接続することを特徴とする構造。
【発明の詳細な説明】
本発明は、スプレー・チューブの自由外端に配置したスプレー・チューブ・マウスピースであって、交差する流路によって、圧力下にスプレー・チューブに送られる液体を霧化するようになっているスプレー・チューブ・マウスピースの構造に関する。
公知のタイプのマウスピースは、渦運動を液体に与えてそれを霧化するようになっている。或る種の用途、たとえば、鼻あるいは喉において麻酔液を霧化するための充分に良好な霧化を得るのに、この原理に従って設計されたマウスピースはチューブの外径よりもかなり大きい外径を与えられることが多く、これはどうにも納得できないことである。
液体の霧化用のマウスピースをチューブと一体に形成し、チューブがその全長にわたって同じ直径を持つようにした解決策が知られている。このことはマウスピースが視覚的にチューブと異なっていないことを意味するので、特定の要求にチューブの長さを合わせようとしてマウスピースを誤って切り離してしまうことがある。
スプレー・マウスピース内の液体で霧化効果を高めるために交差する流路を使用することが既にDE-A-1 625 235で知られている。この構造では、螺旋状の溝がマウスピース・ノズルを支持する本体内中央に設置した円筒形部分の外周面に設けてある。溝が同じピッチで互いに反対の向きに配置してあることにより、これらの溝は多数の交点で交差する。これが流れをダクトに導く。これらのダクトは、流路およびマウスピース・ノズルを支持する本体によって形成され、交点のところで霧化が生じる。
本発明の目的は、スプレー・チューブの自由外端に配置してあり、円形のスプレー・パターンを持つミスト噴流をスプレー・マウスピースから放出することができるように液体の霧化を行うスプレー・チューブ・マウスピースの構造を低コストで提供することにある。この構造により、マウスピースはチューブの外径よりもほんの少し大きいだけであり、たとえば、鼻あるいは喉の間欠噴霧のために麻酔液を霧化するような用途で使用することができる。さらに、この構造は誤って切り離されることがないようにチューブの残部とは視覚的に異なるマウスピースを得ることを意図している。
本発明によれば、この目的は、スプレー・チューブの前記自由端に注意深く設置するようになっている細長いスリーブを包含し、このスリーブの端面が中央設置のマウスピース開口と、スリーブ内に設置され、この端面と本質的に連結している円筒形本体とを有し、この本体がスリーブと共にチューブと連通する少なくとも２つのダクトを形成し、これらのダクトがチューブ端から端面までほぼ軸線方向に延びており、各ダクトが本体の端面に形成された前記交差する流路によって好ましくはマウスピース開口と同軸に接続するチャンバに接続してある構造で達成される。
本発明の特徴によれば、マウスピース開口は前記チャンバから離れる方向に円錐形に狭くなっている。
本発明の別の特徴によれば、チューブをスリーブ内へ正しい深さまで挿入できるように、本体の端面から遠い方の側に、スリーブ内のスプレー・チューブの挿入深さを決める、スプレー・チューブ端のための少なくとも１つの接触面が設けてある。
組立てを容易にすると共にチューブ端からダクト内への流れを容易にするために、本発明のまた別の特徴によれば、スリーブ内に設置した本体はそれぞれ流路、チャンバを備えた対称的に形成した端面を有する。
本発明のさらに別の特徴は、端面のところのダクトが各々２つの流路に分割してあり、各流路が円周に沿って互いに反対の方向において円弧の一部を描き、最終的に、前記チャンバと周面との間で反対方向から接続する対応した流路を横切るチャンバに接続している。
本発明の好ましい実施例を、以下、添付図面を参照しながらさらに説明する。
図１は、本発明による構造を備えたチューブの外端を示す縦断面図である。
図２は、交差する流路を備えた端面を有する内側部分の端面図である。
図１において、１は全体的にチューブを示しており、このチューブは、自由外端のところに、全体的に２で示すマウスピースを有する。マウスピース２の目的は、チューブを接続する溜め（図示せず）内の加圧液体を霧化することにある。
本発明によれば、このスプレー・チューブ・マウスピース２は２つの１部分、すなわち、外側部分４と内側部分４とを包含する。外側部分３は円筒形のカップの形をしており、基部に開口５を有する。開口５はマウスピース開口として作用し、前記カップから離れる方向に円錐形に狭くなっている。スプレー・パターンの直径は開口５の開口角度を変えることによって調節することができる。
内側部分４は、ほぼ円筒形の本体を包含し、この本体の外径は外側部分３内に嵌合するように選ぶ。好ましくは、本体は円周面に沿って２つの軸線方向の溝６を有し、これらの溝が外側部分３と共に霧化しようとする液体のためのダクトを形成する。
外側部分３は、まず外側部分３に正しく内側部分４を挿入し、基部に嵌合させた後にスプレー・チューブの自由端上に注意深く設置するようになっている。内側部分４は、チューブ１に嵌合する内側部分４の端面が構成される接触面によって外側部分３内のスプレー・チューブ１の挿入深さを決める。チューブ１を取り囲む端のところで、外側部分３はチューブ１に、たとえば超音波溶接あるいは均等な方法によって、チューブ１に連結される。この連結は、チューブの端に設置された本発明によるマウスピース２が使用時に外れる危険がないように行なわれる。この連結は緊密であり、そのため液体がチューブ１の周面と外側部分３の間から流出することはない。
組立てを容易にするために、内側部分４の端面は同一設計であり、溝７とチャンバ８とが形成してある。これらの溝７は、外側部分３の基部１およびチューブの端と共に、それぞれ、液体のための流路７を形成する。流路７はチャンバ８に開いており、チャンバの１つが外側部分３の基部にある開口５と連通し、他のチャンバがスプレー・チューブ１の自由端にある開口と連通する。
図２でわかるように、内側部分の端面にある流路７は、端面にあるダクト６の各々が２つの流路７に分割されるように配置してある。これらの流路は、各々、周面に沿って互いに反対の向きに円弧の一部を描く。最終的には、これらの流路７は、チャンバ８と周面との間で反対方向から接続する対応した流路７を横切るチャンバ８に接続する。流路７は、また、液体がチャンバ８の中で互いに合流するようにも配置してある。流路７のこの配置により、非常に良好な液体の霧化を達成できる。
液体がスプレー・チューブ１を通して圧送され、内側部分４に達したとき、液体はチャンバ８内へ強制的に送られ、そして、流路７を通して側方へ、そしてそこから内側部分４の側部にあるダクト６内へ強制的に送られる。これは、内側部分４の両端面が溝７およびチャンバ８を備えていることによって容易に行われる。
次に、液体はダクト６を通して内側部分４の前面に向かって送られ、そこで流路７を通して流れ続け、流路が互いに交差するように設計してあることによって霧化される。次に、霧化した液体はチャンバ８に流れ続け、そこで合流する。
その後、液体は外側部分３の基部にある開口５を通して放出され、さらに霧化され、円形のスプレー・パターンを描く。
外側部分３がチューブ１よりもいくぶん大きな直径を有するという事実は、スプレー・マウスピース２がスプレー・チューブの残りの部分と視覚的に異なり、使用前に誤って切り離されることがないことを意味する。
本発明が上記の実施例に限定されるものではないことは当然であり、請求の範囲に記載した本発明の範囲内で変更が可能である。
【図１】
0003884478.tif 000002
【図２】
0003884478.tif 000003